(57)【要約】【課題】通信ネットワークに接続された他の装置へのアクセス情報を自由に設定することを可能とし、利便性及び機密性に優れた画像投影装置を提供すること。【解決手段】画像データを通信ネットワークを介して取得し、前記画像データに基づいた画像を投影する画像投影装置であって、前記通信ネットワークに接続された他の装置から送信される、前記画像データに関する情報を含む電子メールを受信する受信手段と、前記受信手段により受信した前記電子メールの内容を解析する内容解析手段と、前記内容解析手段による解析結果に基づいて、前記通信ネットワークを介して前記画像データを取得する画像データ取得手段と、を有する。【選択図】図２
2008090562.tif 000002
【特許請求の範囲】
【請求項１】
画像データを通信ネットワークを介して取得し、前記画像データに基づいた画像を投影する画像投影装置であって、
前記通信ネットワークに接続された他の装置から送信される、前記画像データに関する情報を含む電子メールを受信する受信手段と、
前記受信手段により受信した前記電子メールの内容を解析する内容解析手段と、
前記内容解析手段による解析結果に基づいて、前記通信ネットワークを介して前記画像データを取得する画像データ取得手段と、を有する画像投影装置。
【請求項２】
前記電子メールは、前記画像データを格納している装置へ前記通信ネットワークを介してアクセスするためのアクセス情報を含み、
前記内容解析手段は、前記電子メールの内容を解析して前記電子メールから前記アクセス情報を抽出し、
前記画像データ取得手段は、前記抽出したアクセス情報に基づいて、前記画像データを格納している装置にアクセスして、前記画像データを取得することを特徴とする請求項１記載の画像投影装置。
【請求項３】
前記内容解析手段は、前記電子メールの特定の部分に含まれる前記アクセス情報を抽出することを特徴とする請求項２記載の画像投影装置。
【請求項４】
前記電子メールの特定の部分は、前記電子メールの本文であることを特徴とする請求項３記載の画像投影装置。
【請求項５】
前記電子メールの特定の部分は、前記電子メールのヘッダであることを特徴とする請求項３記載の画像投影装置。
【請求項６】
前記電子メールは、前記アクセス情報として、前記画像データを格納している位置を特定するための格納位置特定情報を含み、
前記格納位置特定情報は、前記画像データを格納している装置の識別情報と、前記画像データを格納している装置が有する共有フォルダのアドレス情報と、前記共有フォルダが有する前記画像データを特定するための情報とを含むことを特徴とする請求項２ないし請求項５のいずれか一項に記載の画像投影装置。
【請求項７】
前記電子メールは、前記アクセス情報として、前記共有フォルダにアクセスするためのパスワード情報又はユーザアカウント名情報を含むことを特徴とする請求項６記載の画像投影装置。
【請求項８】
前記内容解析手段により解析した前記電子メールの内容に基づいて、前記アクセス情報のうち少なくとも前記画像データのファイル名を含む情報の一覧表を作成する一覧表作成手段と、
前記一覧表から前記画像データを選択するための画像データ選択手段と、を有し、
前記画像データ取得手段は、前記画像データ選択手段により選択された前記画像データを取得することを特徴とする請求項２ないし請求項７のいずれか一項に記載の画像投影装置。
【請求項９】
画像データを通信ネットワークを介して取得し、前記画像データに基づいた画像を投影する画像投影装置に用いられるプログラムであって、
コンピュータを、
前記通信ネットワークに接続された他の装置から送信された、前記画像データに関する情報を含む電子メールを受信する手段と、
前記受信した前記電子メールの内容を解析する手段と、
前記電子メールの内容を解析した結果に基づいて、前記通信ネットワークを介して前記画像データを取得する手段と、
して機能するためのプログラム。
【請求項１０】
画像データを通信ネットワークを介して取得し、前記画像データに基づいた画像を投影する画像投影方法であって、
前記通信ネットワークに接続された他の装置から送信される、前記画像データに関する情報を含む電子メールを受信する受信ステップと、
前記受信した前記電子メールの内容を解析する内容解析ステップと、
前記電子メールの内容を解析した解析結果に基づいて、前記通信ネットワークを介して前記画像データを取得する画像データ取得ステップと、を有する画像投影方法。
【発明の詳細な説明】
【技術分野】
【０００１】
本発明は、通信ネットワークを介して取得した画像データに基づいた画像を投影する画像投影装置、画像投影方法、及び画像投影装置に用いられるプログラムに関する。
【背景技術】
【０００２】
会議室などで利用される、例えばプロジェクタ等の画像投影装置は、ＰＣ（Personal Computer）のディスプレイ出力を入力として画像を投影するＰＣの周辺装置として知られている。この画像投影装置を会議室等で利用する場合には、画像投影装置で投影する画像の画像データをノート型のＰＣに保存して会議室まで持ち運ばなければならず面倒であった。また、ノート型のＰＣを会議室に持ち運ぶ途中に紛失してしまう可能性もあり情報漏洩防止の観点から機密性に欠けるという問題があった。また、予め画像投影装置とＰＣとを会議室に設定しておき、ＵＳＢメモリ等の記録媒体を持ち運ぶことで利用者の負担を軽減することができるが、この場合も会議室に持ち運ぶという負担があることには変わりなく、また機密性に欠けるという問題点は解決しない。
【０００３】
そこで、かかる問題を解消すべく、特許文献１には、画像データをＰＣやＵＳＢメモリ等に保存して会議室まで持ち運ぶことなく、通信ネットワークを介して取得した画像データに基づいた画像を投影することを可能とした電子会議システムが開示されている。この電子会議システムは、サーバと、このサーバに会議資料などの画像データを送信する端末装置と、サーバに接続された画像投影装置とが通信ネットワークに接続されて構成されており、端末装置からサーバに対して画像データを送信し、サーバは画像データを受信すると画像投影装置により受信した画像データに基づいた画像を投影する。
【特許文献１】特開２００４−１３６３２号公報
【発明の開示】
【発明が解決しようとする課題】
【０００４】
しかしながら、上記電子会議システムにおいては、画像投影装置と対でサーバを用意する必要があり、電子会議システム全体のコストを増大させていた。また、画像投影装置を搬送する際には、同時にサーバをも搬送する必要があり利便性に欠けていた。
【０００５】
そこで、本発明は、上記の如きサーバを必要とすることなく、簡易かつ利便性に優れた方法により、通信ネットワークを介して画像データを取得することを可能とした画像投影装置を提供することを目的とする。
【課題を解決するための手段】
【０００６】
請求項１に記載の発明は、画像データを通信ネットワークを介して取得し、前記画像データに基づいた画像を投影する画像投影装置であって、前記通信ネットワークに接続された他の装置から送信される、前記画像データに関する情報を含む電子メールを受信する受信手段と、前記受信手段により受信した前記電子メールの内容を解析する内容解析手段と、前記内容解析手段による解析結果に基づいて、前記通信ネットワークを介して前記画像データを取得する画像データ取得手段と、を有する。
【０００７】
請求項２に記載の発明は、請求項１に記載の発明において、前記電子メールは、前記画像データを格納している装置へ前記通信ネットワークを介してアクセスするためのアクセス情報を含み、前記内容解析手段は、前記電子メールの内容を解析して前記電子メールから前記アクセス情報を抽出し、前記画像データ取得手段は、前記抽出したアクセス情報に基づいて、前記画像データを格納している装置にアクセスして、前記画像データを取得することを特徴とする。
【０００８】
請求項３に記載の発明は、請求項２に記載の発明において、前記内容解析手段は、前記電子メールの特定の部分に含まれる前記アクセス情報を抽出することを特徴とする。
【０００９】
請求項４に記載の発明は、請求項３に記載の発明において、前記電子メールの特定の部分は、前記電子メールの本文であることを特徴とする。
【００１０】
請求項５に記載の発明は、請求項３に記載の発明において、前記電子メールの特定の部分は、前記電子メールのヘッダであることを特徴とする。
【００１１】
請求項６に記載の発明は、請求項２ないし請求項５のいずれか一項に記載の発明において、前記電子メールは、前記アクセス情報として、前記画像データを格納している位置を特定するための格納位置特定情報を含み、前記格納位置特定情報は、前記画像データを格納している装置の識別情報と、前記画像データを格納している装置が有する共有フォルダのアドレス情報と、前記共有フォルダが有する前記画像データを特定するための情報とを含むことを特徴とする。
【００１２】
請求項７に記載の発明は、請求項２ないし請求項６のいずれか一項に記載の発明において、前記電子メールは、前記アクセス情報として、前記共有フォルダにアクセスするためのパスワード情報を含むことを特徴とする。
【００１３】
請求項８に記載の発明は、請求項２ないし請求項７のいずれか一項に記載の発明において、前記内容解析手段により解析した前記電子メールの内容に基づいて、前記アクセス情報のうち少なくとも前記画像データのファイル名を含む情報の一覧表を作成する一覧表作成手段と、前記一覧表から前記画像データを選択するための画像データ選択手段と、を有し、前記画像データ取得手段は、前記画像データ選択手段により選択された前記画像データを取得することを特徴とする。
【００１４】
請求項９に記載の発明は、画像データを通信ネットワークを介して取得し、前記画像データに基づいた画像を投影する画像投影装置に用いられるプログラムであって、コンピュータを、前記通信ネットワークに接続された他の装置から送信された、前記画像データに関する情報を含む電子メールを受信する手段と、前記受信した前記電子メールの内容を解析する手段と、前記電子メールの内容を解析した結果に基づいて、前記通信ネットワークを介して前記画像データを取得する手段と、して機能する。
【００１５】
請求項１０に記載の発明は、画像データを通信ネットワークを介して取得し、前記画像データに基づいた画像を投影する画像投影方法であって、前記通信ネットワークに接続された他の装置から送信される、前記画像データに関する情報を含む電子メールを受信する受信ステップと、前記受信した前記電子メールの内容を解析する内容解析ステップと、前記電子メールの内容を解析した解析結果に基づいて、前記通信ネットワークを介して前記画像データを取得する画像データ取得ステップと、を有する。
【発明の効果】
【００１６】
請求項１，９，１０に記載の発明によれば、画像投影装置において通信ネットワークに接続された他の装置より送信される、画像データに関する情報を含む電子メールを受信し、受信した電子メールの内容を解析し、解析した電子メールの解析結果に基づいて、通信ネットワークを介して画像データを取得するので、画像データを受信するためのサーバを必要とすることなく、電子メールという簡易な方法により、通信ネットワークに接続された他の装置に格納された画像データを任意に指定して、指定された画像データを自動的に取得することを可能とする利便性の高い画像投影装置を提供することができる。
【００１７】
請求項２に記載の発明によれば、内容解析手段は、電子メールの内容を解析して電子メールからアクセス情報を抽出し、画像データ取得手段は、抽出したアクセス情報に基づいて、画像データを格納している装置にアクセスして、画像データを取得するので、アクセス情報を自由に設定することにより、利便性を更に向上することができる。
【００１８】
請求項３〜５に記載の発明によれば、内容解析手段は、電子メールの本文又は電子メールのヘッダに含まれるアクセス情報を抽出するので、電子メールの所望の場所にアクセス情報を設定することができ、利便性を更に向上することができる。
【００１９】
請求項６に記載の発明によれば、電子メールは、アクセス情報として、画像データを格納している位置を特定するための格納位置特定情報を含み、格納位置特定情報は、画像データを格納している装置の識別情報と、画像データを格納している装置が有する共有フォルダのアドレス情報と、共有フォルダが有する画像データを特定するための情報とを含むので、電子メールで格納位置特定情報を特定すれば、所望の画像データを容易に取得することができる。
【００２０】
請求項７に記載の発明によれば、アクセス情報として、共有フォルダにアクセスするためのパスワード情報を含むので、共有フォルダにパスワードが設定されており、アクセスが制限されている場合であっても、電子メールにより容易にパスワードを解除することができる。
【００２１】
請求項８に記載の発明によれば、画像データ取得手段は、画像データ選択手段により選択された画像を取得するので、利用者は、一覧表を閲覧して、所望の画像データを選択することができる。
【発明を実施するための最良の形態】
【００２２】
以下に、本発明の実施例について図面を参照しながら説明する。図１に本発明を適用した画像投影装置１の概略を示す。図１は、本発明の実施形態に係る画像投影装置１を含む画像投影システムＫの構成を示している。
【００２３】
画像投影システムＫは、プロジェクタ等で代表される画像投影装置１と、他の装置としての複数のＰＣ３〜ＰＣ６と、メールサーバ７とを備えており、これらの装置は、ＬＡＮ（Local Area Network）等の通信ネットワーク２を介して通信可能に接続される。他の装置としては、ＰＣ（Personal Computer）やＰＤＡ（Personal Digital Assistants）等があるが、ここではＰＣとしている。
【００２４】
ここで、画像投影装置１、ＰＣ３〜ＰＣ６、メールサーバ７には、同一サブネットの固有のＩＰアドレスがそれぞれ割り当てられており、このＩＰアドレスを用いて装置間での通信を行う。
【００２５】
画像投影装置１には、クライアント用の電子メールプログラムが格納されており、画像投影装置１は、このプログラムを実行することによって、通信ネットワーク２に接続されたメールサーバ７から電子メールの受信を行う。
【００２６】
さらに、画像投影装置１は、上述の電子メールプログラムを実行することによって、メールサーバ７から受信した電子メールの内容を解析し、その結果に基づいて、ＰＣ３〜ＰＣ６のいずれかに格納された画像データを通信ネットワーク２を介して取得し、この画像データに基づいた画像をスクリーンＳに投影するように構成されている。
【００２７】
ここで、静止画ファイル（例：ＪＰＥＧ）、動画ファイル（例：ＭＰＥＧ）などの通常の画像ファイルだけでなく、文書作成ソフトやプレゼンテーションソフト、ＣＡＤソフト等、アプリケーションソフトの実行によって画面表示が可能なデータファイル等も含めて画像データと定義し、言い換えれば、画像投影装置１によって投影表示が可能なデータという意味で画像データとしている。
【００２８】
このように、画像投影装置１において、通信ネットワーク２に接続された他の装置であるＰＣ３〜ＰＣ６より送信される、画像データに関する情報を含む電子メールをメールサーバ７から受信し、受信した電子メールの内容を解析し、解析した結果に基づいて、通信ネットワーク２を介してＰＣ３〜ＰＣ６のいずれかのＰＣから画像データを取得するので、画像データを受信するためのサーバを必要とすることなく、電子メールという簡易な方法により、通信ネットワークに接続された他の装置に格納された画像データを任意に指定して、指定された画像データを自動的に取得することを可能とする利便性の高い画像投影装置を提供することができる。
【００２９】
以下、画像投影装置１の構成及び動作について具体的に説明する。
【００３０】
画像投影装置１の内部構成について説明する。図２は、画像投影装置１の内部構成を示すブロック図を示している。図２に示すように、画像投影装置１は、外部から画像データや映像信号等の情報を入力する入力部１０と、メールサーバ７から入力部１０を介して受信した電子メールについて各種の処理を行うメール処理部２０と、画像データや映像信号に対して各種の処理を行う画像処理部３０と、各種の画像を投影するための投影部４０と、利用者が画像投影装置１の動作を操作するための制御パネルＰと、画像投影装置１全体を制御する制御部５０とを備えている。
【００３１】
入力部１０は、画像投影装置１を通信ネットワーク２に接続するためのＬＡＮインターフェイスなどのインターフェース１２と、画像投影装置１外から入力された映像信号を画像処理部３０に入力する映像信号入力手段１４とを備えている。
【００３２】
メール処理部２０は、制御部５０による制御に基づいて、インターフェース１２を介してメールサーバ７から電子メールを受信する機能を有している。メール処理部２０は、制御部５０による制御に基づいて、例えば、通信ネットワーク２に接続されたＰＣ３より送信された画像データに関する情報を含む電子メールをメールサーバ７からインターフェース１２を介して受信する。
【００３３】
電子メールに含まれる画像データに関する情報には、後述するように、画像データを格納している装置へ通信ネットワーク２を介してアクセスするために必要なアクセス情報が含まれている。アクセス情報としては、画像データが格納されている位置（ここでは、装置の位置及び装置内の格納位置とする。）を特定するための格納位置特定情報、画像データを格納している装置が有する共有フォルダにアクセスするために必要なパスワード情報やユーザアカウント名情報などがある。
【００３４】
また、メール処理部２０は、受信した電子メールの内容を解析する機能を有している。メール処理部２０は、通信ネットワーク２に接続された画像データに関する情報を含む電子メールを受信すると、制御部５０による制御に基づいて、この電子メールの内容を解析して、電子メールからアクセス情報を抽出するようになっている。
【００３５】
画像処理部３０は、インターフェース１２を介して取得した画像データや映像信号入力手段１４に入力された映像信号を、投影部４０で投影処理可能な画像信号へ変換する画像処理回路３２と、画像処理回路３２によって変換された画像信号を所定の領域に一時的に記憶すると共に画像処理回路３２によりアクセスされる、例えば、ＶＲＡＭ（Video Random Access Memory）等で構成される映像記憶メモリ３４とを備えている。
【００３６】
投影部４０は、光源としてのランプ４１と、照明光学系４２と、光変調素子４３と、結像光学系４４と、光変調素子ドライブ回路４５と、ランプ駆動回路４６とを有する。
【００３７】
ランプ４１は、制御部５０によって制御されたランプ駆動回路４６から出力される信号に基づいて、点灯駆動されて発光する。ランプ４１で発光された光は、図示しないカラーフィルタを通し、照明光学系４２によって照明光として、透過型液晶パネルなどの光変調素子４３に照射される。
【００３８】
光変調素子４３は、光変調素子ドライブ回路４５によって駆動され、その表示面に映像を表示する。このように表示された映像は、照明光学系４２からの照明光によって、光として光変調素子４３から出射される。続いて、この出射光は、結像光学系４４及び画像投影装置１の図示しない筐体の開口を通って、スクリーンＳに投影される。
【００３９】
制御パネルＰは、利用者が操作可能となるように、画像投影装置１の図示しない所定の箇所に設けられており、利用者がこの制御パネルＰを操作することによって、制御部５０の種々の作動制御や作動停止制御などを行う。
【００４０】
この制御パネルＰは、利用者が所望の画像データを選択するための図示しないファイル選択ボタン、後述するファイル表示処理を実行するための図示しないファイル表示ボタンなどを有している。
【００４１】
制御部５０は、中央制御部であるＣＰＵ（Central Processing Unit）５２と、ＣＰＵ５２が実行する各種プログラム及びデータを格納したＲＯＭ（Read Only Memory）５４と、ＣＰＵ５２の実行対象となるプログラムによる演算データなどを一時的に格納するＲＡＭ（Random Access Memory）５６とを備えおり、画像投影装置１全体を制御する機能を有している。
【００４２】
この制御部５０においては、ＣＰＵ５２が、ＲＯＭ５４、ＲＡＭ５６等に接続されており、このＲＯＭ５４に記憶された各種プログラムに従って、各種の処理を実行する機能を有する。
【００４３】
制御部５０においては、ＣＰＵ５２が、ＲＯＭ５４に格納した電子メール受信用プログラムを読み出して実行することにより、メール処理部２０を制御して、メールサーバ７からインターフェース１２を介して電子メールを受信し、ＲＡＭ５６に記憶する。このとき、制御部５０、インターフェース１２、及びメール処理部２０は、通信ネットワーク２に接続された他の装置から送信される、画像データに関する情報を含む電子メールを受信する受信手段として機能する。ここでは、メール処理部２０は、メールサーバ７との通信を、ＩＭＡＰ（Internet Message Access Protocol）を用いることによって行うものとする。
【００４４】
また、制御部５０においては、ＣＰＵ５２が、ＲＯＭ５４に格納した電子メール解析用プログラムを読み出して実行することにより、メール処理部２０を制御して、ＲＡＭ５６に記憶された電子メールの情報を読み出して、電子メールの内容を解析し、電子メールの解析結果をＲＡＭ５６に記憶する。このとき、制御部５０及びメール処理部２０は、受信手段により受信した電子メールの内容を解析する内容解析手段として機能する。この内容解析手段の動作については、後述で詳細に説明する。
【００４５】
また、制御部５０においては、ＣＰＵ５２が、ＲＯＭ５４に格納した一覧表作成用プログラムを読み出して実行することにより、ＲＡＭ５６に記憶された電子メールの解析結果を読み出して、この解析結果に基づいて、電子メールに含まれるアクセス情報のうち少なくとも画像データのファイル名を含む情報の一覧表である電子メール一覧表を作成し、ＲＡＭ５６に記憶する。このとき、制御部５０は、一覧表作成手段として機能する。一覧表作成手段により作成された電子メール一覧表は、制御部５０の制御に基づいて、投影部４０を介してスクリーンＳに投影されるようになっている。また、この一覧表は、制御パネルＰの図示しない表示部に表示されるように構成しても良い。
【００４６】
また、制御部５０においては、利用者が制御パネルＰの操作により上述の電子メール一覧表の中から所望の画像データを選択すると、ＣＰＵ５２が、ＲＯＭ５４に格納した画像データ取得用プログラムを読み出して実行することにより、通信ネットワーク２を介してインターフェース１２から選択された画像データを取得し、ＲＡＭ５６に記憶する。このとき、制御部５０及び制御パネルＰは、画像データ選択手段として機能する。また、制御部５０及びインターフェース１２は、画像データ取得手段として機能する。
【００４７】
ＲＡＭ５６は、上述のごとく、メール処理部２０によってメールサーバ７から受信した電子メールを格納するための記憶部としての機能、各種フラグやデータを一時的に格納するための機能等を有するものである。
【００４８】
次に、本実施形態における画像投影装置１において、一例として、プレゼンテーション用の画像データを取得し、取得した画像データを投影する動作について、図３〜図８を参照して具体的に説明する。図３は本実施形態における画像投影装置１のメイン処理フローチャート、図４は本実施形態における画像投影装置１のメール受信処理フローチャート、図５は本実施形態における電子メールの構成例を示す図、図６は本実施形態における電子メールの内容を解析した解析結果の一例を示す図、図７は本実施形態における画像データのファイル名を含む情報の一覧表の一例を示す図、図８は本実施形態におけるファイル表示処理フローチャートである。
【００４９】
図３に示すように、画像投影装置１の電源がＯＮになると、画像投影装置１のＣＰＵ５２は、ＲＡＭ５６のアクセス許可、作業領域確保のための初期化等の初期設定動作を実行し、ＲＯＭ５４に格納された各プログラムをＣＰＵ５２による実行状態とし、制御部５０としての機能を動作させた後（ステップＳ１）、ステップＳ２に処理を移す。
【００５０】
ステップＳ２において、制御部５０は、メール受信処理を実行する。このメール受信処理は、図４におけるステップＳ１０〜Ｓ１４の処理であり、後述で詳説する。メール受信処理が終了すると、制御部５０は、ステップＳ３に処理を移す。
【００５１】
ステップＳ３において、制御部５０は、制御パネルＰの図示しないファイル表示ボタンが押下されたか否かを判定する。
【００５２】
この処理において、ファイル表示ボタンが押下されたと判定すると（ステップＳ３：Ｙｅｓ）、制御部５０は、ファイル表示処理を実行する（ステップＳ４）。このファイル表示処理は、図８におけるステップＳ２０〜Ｓ２５の処理であり、後述で詳説する。
【００５３】
一方、この処理において、ファイル表示ボタンが押下されていないと判定すると（ステップＳ３：Ｎｏ）、制御部５０は、処理をステップＳ５へ移行する。
【００５４】
ステップＳ５において、制御部５０は、画像投影装置１の電源がＯＦＦにされたか否かを判定する。
【００５５】
この処理において、電源がＯＦＦにされたと判定すると（ステップＳ５：Ｙｅｓ）、制御部５０は、画像投影装置１の動作を停止して、メイン処理を終了する。
【００５６】
一方、この処理において、電源がＯＦＦにされていないと判定すると（ステップＳ５：Ｎｏ）、制御部５０は、ステップＳ２に処理を移行し、ステップＳ２からの処理を繰り返す。
【００５７】
ここで、ステップＳ２におけるメール受信処理について、図４に示すフローチャートを参照して具体的に説明する。
【００５８】
図４に示すように、メール受信処理を開始すると、ステップＳ１０において、制御部５０は、メール処理部２０を制御して、通信ネットワーク２に接続されたメールサーバ７に画像投影装置１宛ての電子メールが有るか否かを判定する。
【００５９】
この処理において、画像投影装置１宛ての電子メールがないと判定すると（ステップＳ１０：Ｎｏ）、制御部５０は、メール受信処理を終了する。
【００６０】
一方、この処理において、画像投影装置１宛ての電子メールがあると判定すると（ステップＳ１０：Ｙｅｓ）、制御部５０は、処理をステップＳ１１に移行する。
【００６１】
ステップＳ１１において、制御部５０は、ＲＯＭ５４から電子メール受信用プログラムを読み出して実行することにより、メール処理部２０を制御して、メールサーバ７からインターフェース１２を介して画像投影装置１宛ての電子メールを受信し、この電子メールをＲＡＭ５６に記憶し、ステップＳ１２に処理を移行する。
【００６２】
メールサーバ７からインターフェース１２を介して受信した電子メールは、通信ネットワーク２に接続されたＰＣ３〜ＰＣ６のいずれのＰＣから送信されたものであっても良く、画像データを格納しているＰＣである必要はない。ここでは、制御部５０は、通信ネットワーク２に接続されたＰＣ３から送信された電子メールを受信したものとする。
【００６３】
ここで、制御部５０により受信した電子メールの一例を図５に示す。電子メールは、図５（ａ）に示すように、ヘッダ部（単にヘッダとも言う。）と、本文とから構成されている。電子メールのヘッダ部は、メールタイトルを示す「プレゼン」と、送信者を示す「ｉｔｏ＠ｅｘａｍｐｌｅ）と、送信日付を示す（Ｍｏｎ，３  Ｊｕｌ  ２００６）などの情報を含む。また、電子メールの本文は、プレゼンテーションのタイトル（以下、プレゼンタイトルという。）と、画像データを格納している装置を特定するための格納位置特定情報と、画像データを格納している装置が有する共有フォルダにアクセスするためのパスワード情報とを含む。プレゼンタイトルの情報として「販売」を含み、格納位置特定情報として、画像データを格納している装置（ここでは、ＰＣ４とする。）の識別情報を示す「￥￥ＰＣ４」と、このＰＣ４が有する共有フォルダ（ここでは、ｓｈａｒｅとする。）のアドレス情報を示す「￥ｓｈａｒｅ」と、共有フォルダ「ｓｈａｒｅ」が有する画像データを特定するための情報であるファイル名を示す「販売について．ｐｐｔ」とを含む。共有フォルダ「ｓｈａｒｅ」にアクセスするためのパスワード情報を示す「１２３４」と、プレゼン日時を示す「２００６／７／５」などの情報を含む。
【００６４】
図５（ａ）に示す例では、ＰＣ３が送信した電子メールに含まれる格納位置特定情報には画像データを格納している装置をＰＣ４としたが、画像データを格納している装置は、通信ネットワーク２に接続された他の装置であるＰＣ３，ＰＣ５，ＰＣ６のいずれのＰＣであっても良い。すなわち、電子メールが含む情報により自ＰＣに格納された画像データでも他ＰＣに格納された画像データでも任意に指定することができるようになっている。
【００６５】
このように、ＲＡＭ５６に記憶された電子メールには、アクセス情報として、通信ネットワーク２に接続された複数のＰＣのうち、画像データを格納するＰＣ及びその格納フォルダを特定し得るように設定された格納位置特定情報と、パスワード情報が含まれている。図５（ａ）に示す電子メールでは、アクセス情報が電子メールの特定の部分である本文に含まれる例を示したが、このアクセス情報は、電子メールのヘッダ部に含まれていても良い。このように、本実施形態に係る画像投影装置１は、電子メールの所望の場所にアクセス情報を設定することができ、利便性を向上することができる。
【００６６】
また、図５（ａ）に示す電子メールでは、ＰＣ４に格納されたプレゼン用の画像データとして「販売について．ｐｐｔ」のみを特定しているが、プレゼン用の画像データが複数必要である場合には、図５（ｂ）に示すように、１行スペースを空けて、電子メールの本文にアクセス情報を含む情報を連続して記入することにより、複数の画像データを特定し得るようにしても良い。例えば、図５（ｂ）に示すように、ＰＣ４に格納された画像データ「販売について．ｐｐｔ」と共にＰＣ５に格納された画像データ「報告．ｐｐｔ」を特定し得るようにしても良い。
【００６７】
ステップＳ１２おいて、制御部５０は、メール処理部２０を制御して、受信した電子メールの内容を解析し、処理をステップＳ１３に移行する。すなわち、制御部５０は、メール処理部２０を制御して、ステップＳ１１で受信した電子メールの内容を解析し、この電子メールからアクセス情報を含む情報を抽出する。具体的には、制御部５０は、ＲＡＭ５６から受信した電子メールを読み出し、図６に示すメール解析テーブルに従って、メール処理部２０を制御することにより、ヘッダ部のＦｒｏｍフィールドに記載されている情報を「送信者」の情報として、ヘッダ部のＤａｔｅフィールドに記載されている情報を「送信日時」の情報として、ヘッダ部のＳｕｂｊｅｃｔフィールドに記載されている情報を「メールタイトル」の情報として、本文の１行目のフィールドに記載されている情報を「プレゼンタイトル」の情報として、本文の２行目のフィールドに記載されている情報を「共有フォルダのアドレス」の情報として、本文の３行目のフィールドに記載されている情報を「ファイル名」の情報として、本文の４行目のフィールドに記載されている情報を「パスワード」の情報として、本文の５行目のフィールドに記載されている情報を「プレゼン日時」の情報として、それぞれ解析する。
【００６８】
メール処理部２０は、電子メールの内容を上述のように解析し、アクセス情報を含む情報を抽出する。例えば、電子メールのヘッダ部及び本文が図５（ａ）に示すように記述されている場合、制御部５０は、図６に示すように、電子メールのヘッダ部に含まれるＦｒｏｍヘッダフィールドに記載のアドレス「ｉｔｏ＠ｅｘａｍｐｌｅ」が送信者の情報であると解析する。
【００６９】
同様に、制御部５０は、電子メールのＤａｔｅヘッダフィールドに記載の「Ｍｏｎ，３  Ｊｕｌ  ２００６」が送信日時の情報であり、電子メールのＳｕｂｊｅｃｔヘッダフィールドに記載の「プレゼン」がメールタイトルの情報であり、電子メールの本文１行目に記載の「販売」がプレゼンタイトルの情報であり、電子メールの本文２行目に記載の「￥￥ＰＣ４」及び「￥ｓｈａｒｅ」がそれぞれＰＣ４の識別情報及びＰＣ４が有する共有フォルダｓｈａｒｅのアドレス情報であり、電子メールの本文３行目に記載の「販売について．ｐｐｔ」が共有フォルダｓｈａｒｅに格納された画像データを特定するための情報であり、電子メールの本文４行目に記載の「１２３４」が共有フォルダｓｈａｒｅにアクセスするためのパスワード情報であり、電子メールの本文５行目に記載の「２００６／７／５」がプレゼン日時の情報であると解析する。
【００７０】
制御部５０は、受信した各電子メール毎にこれらの解析結果をＲＡＭ５６に記憶すると共に、格納位置特定情報及びパスワード情報をアクセス情報として抽出し、ＲＡＭ５６に記憶する。
【００７１】
ステップ１３において、制御部５０は、メール解析テーブルによる解析結果から電子メールの内容が正常か否かを判定する。すなわち、メール解析テーブルによる解析結果にエラーがあるか否かを判定するのであり、メール解析テーブルによる解析結果にエラーがなければ、制御部５０は、電子メールの内容を正常であると判定する。一方、メール解析テーブルによる解析結果にエラーがあれば、制御部５０は、電子メールの内容を正常でないと判定するのである。
【００７２】
ここで、メール解析テーブルによる解析結果にエラーがあるとは、画像データを取得するために最低限必要な送信者、共有フォルダのアドレス及びファイル名の情報が電子メールから欠落していること、あるいは、これらの情報が電子メールの記載から認識できないことをいう。例えば、電子メールのヘッダ部に含まれるＦｒｏｍヘッダフィールドに、「ｉｔｏｅｘａｍｐｌｅ」と記載されており、「＠」マークが記載されていない場合には、送信者の情報として認識することができないので、メール解析テーブルによる解析結果にエラーがあり、制御部５０は、電子メールの内容を正常でないと判定するのである。
【００７３】
この処理において、制御部５０は、電子メールの内容を正常であると判定すると（ステップＳ１３：Ｙｅｓ）、ステップＳ１４の処理に移行する。
【００７４】
ステップＳ１４において、制御部５０は、受信した各電子メール毎に作成された解析結果を電子メール一覧表作成のためのデータとして追加すべくＲＡＭ５６に格納し、メール受信処理を終了する。
【００７５】
また、ステップＳ１４において、制御部５０は、ＲＯＭ５４に格納した一覧表作成用プログラムを読み出して実行することにより、ＲＡＭ５６から各電子メール毎の解析結果に基づいて、アクセス情報のうち少なくとも画像データのファイル名を含む情報の電子メール一覧表を作成しＲＡＭ５６に記憶し、メール受信処理の動作を終了する。例えば、制御部５０は、図７に示すように、解析結果テーブルの解析結果の情報を整理し、左側から第１列にメールタイトルの情報を示す欄、第２列にプレゼンタイトルの情報を示す欄、第３列に送信者の情報を示す欄、第４列に送信日時の情報を示す欄、第５列にプレゼン日時の情報を示す欄、第６列に画像データのファイル名の情報を示す欄を含む電子メール一覧表を作成する。図７に示す電子メール一覧表においては、図５（ａ）に示す電子メールに基づいて、電子メール一覧表の第４行に新たな情報が追加されている。
【００７６】
ステップＳ１３において、制御部５０は、電子メールの内容を正常でないと判定すると（ステップＳ１３：Ｎｏ）、電子メール一覧表のデータを更新することなく、メール受信処理を終了する。
【００７７】
次に、ステップＳ４におけるファイル表示処理について、図８に示すフローチャートを参照して具体的に説明する。
【００７８】
図８に示すように、ファイル表示処理を開始すると、ステップＳ２０において、制御部５０は、電子メール一覧表を表示し、ステップＳ２１の処理に移行する。
【００７９】
具体的には、制御部５０は、ステップＳ１４において作成された電子メール一覧表のデータをＲＡＭ５６から取り出し、電子メール一覧表の描画イメージを画像処理部３０の映像記憶メモリ３４に書き込む。このように映像記憶メモリ３４に書き込まれた電子メール一覧表の描画イメージに応じた画像が、図７に示すように、投影部４０を介してスクリーンＳに投影されることとなる。
【００８０】
ステップＳ２１において、制御部５０は、制御パネルＰの図示しないファイル選択ボタンが操作され、特定の画像データのファイルが選択されたか否か判定する。この制御パネルＰは、利用者が図示しないファイル選択ボタンを操作することにより、図７に示すように、電子メール一覧表の左側にあるカーソルで指示された所望の画像ファイルのデータを選択し得るようになっている。
【００８１】
この処理において、特定の画像データのファイルが選択されていないと判定すると（ステップＳ２１：Ｎｏ）、制御部５０は、処理をステップＳ２０に戻す。
【００８２】
一方、この処理において、特定の画像データのファイルが選択されたと判定すると（ステップＳ２１：Ｙｅｓ）、ステップＳ２２の処理に移行し、制御部５０のＣＰＵ５２はＲＯＭ５４に格納した画像データ取得用プログラムを読み出して実行して、選択された画像データに関する電子メールの解析結果にアクセス条件であるパスワード情報があるか否かを判定する。
【００８３】
ステップＳ２２において、制御部５０は、ステップＳ２１において選択された画像データに関する電子メールの解析結果にパスワード情報がないと判定すると（ステップＳ２２：Ｎｏ）、ステップＳ２４の処理に移行する。
【００８４】
一方、ステップＳ２２おいて、制御部５０は、ステップＳ２１において選択された画像データに関する電子メールの解析結果にパスワード情報があると判定すると（ステップＳ２２：Ｙｅｓ）、ステップＳ２３の処理に移行する。
【００８５】
ステップＳ２３において、制御部５０は、画像データ取得用プログラムの実行により、ＲＡＭ５６からパスワード情報を取り出し、このパスワード情報を、画像データを取得するための要求信号に設定して、処理をステップＳ２４に移行する。
【００８６】
ステップＳ２４において、制御部５０は、ＲＡＭ５６から格納位置特定情報を取り出して、この格納位置特定情報に基づいて画像データを取得するための要求信号を通信ネットワーク２へ送信することにより、選択された画像データのファイルを通信ネットワーク２を介して取得して、ＲＡＭ５６あるいは図示されないハードディスク等の記憶装置に書き込み、ステップＳ２５の処理に移行する。
【００８７】
このように、制御部５０は、アクセス情報としての格納位置特定情報及びパスワード情報に基づいて、選択された画像データを格納している装置に通信ネットワーク２を介してアクセスし、画像データを取得する。例えば、図５（ａ）に示すように、電子メールに基づいたアクセス情報のうち格納位置特定情報が「￥￥ＰＣ４￥ｓｈａｒｅ」であり、ファイル名が「販売について．ｐｐｔ」であるときには、制御部５０は、通信ネットワーク２に接続されたＰＣ４が有する共有フォルダ「ｓｈａｒｅ」にアクセスし、共有フォルダ「ｓｈａｒｅ」が有する画像データ「販売について．ｐｐｔ」を取得する。これにより、画像投影装置１は、所望の画像データを容易に取得することができる。
【００８８】
制御部５０はまた、図５（ａ）に示すように、パスワード情報が「１２３４」である場合には、パスワード情報「１２３４」に基づいて、共有フォルダ「ｓｈａｒｅ」にアクセスする。従って、共有フォルダ「ｓｈａｒｅ」にパスワード「１２３４」が設定されアクセスが制限されている場合であっても、電子メールにより容易にパスワードを解除することができる。
【００８９】
ステップＳ２５の処理において、制御部５０は、ＲＡＭ５６あるいは図示されないハードディスク等の記憶装置に書き込まれた画像データに応じて起動したアプリケーションソフトにより、画像データ（電子ファイル）に基づいて原画像データを生成し、画像処理部３０によって投影画像に変換して、投影部４０を介してスクリーンＳに画像として投影し、ファイル表示処理を終了する。
【００９０】
以上のように、本実施形態における画像投影装置１においては、通信ネットワーク２に接続された他の装置であるＰＣ３〜ＰＣ６のいずれかのＰＣより送信される、画像データに関する情報を含む電子メールを受信し、受信した電子メールの内容を解析し、解析した電子メールの解析結果に基づいて、通信ネットワーク２を介してＰＣ３，４，５，６のいずれかのＰＣから画像データを取得するので、画像データを受信するためのサーバを必要とすることなく、電子メールという簡易な方法により、通信ネットワークに接続された他の装置に格納された画像データを任意に指定して、指定された画像データを自動的に取得することを可能とする利便性の高い画像投影装置を提供することができる。
【００９１】
以上、本発明の好ましい実施の形態について説明したが、本発明はかかる特定の実施形態に限定されるものではなく、特許請求の範囲に記載された本発明の要旨の範囲内において、種々の変形・変更が可能である。
【００９２】
例えば、画像投影装置１の制御部５０は、パスワード情報を含む信号を、通信ネットワーク２へ送信することにより、一旦、共有フォルダに設定されたパスワードを解除した後に、画像データを取得するための要求信号を通信ネットワーク２へ送信し、画像データを取得するようにしても良い。すなわち、パスワード情報を、画像データを取得するための要求信号に設定するのではなく、パスワード情報を含む信号を要求信号よりも先に通信ネットワーク２へ送信するのである。これにより、本実施形態における画像投影装置１と同様の効果を得ることができる。
【００９３】
また、画像投影装置１の制御部５０は、利用者により電子メール一覧表から画像データが選択されたときに、選択された画像データを取得する処理を行うが、電子メールの解析結果としてのプレゼン日時の情報に基づいて、自動的に画像データを取得する処理を行うようにしても良い。さらには、制御部５０は、プレゼン日時に、若しくは、プレゼン日時から所定の時間だけ前に、取得した画像データをＲＡＭ５６から読み出して投影部４０を介してスクリーンＳに投影するようにしても良い。
【００９４】
かかる構成とすることにより、利用者は、プレゼン日時の記載された電子メールを画像投影装置１へ送信しさえすれば、プレゼンの会場で電子メール一覧表からプレゼンに用いる画像データを選択する作業を省略できるので、画像投影装置の利便性を更に向上することができる。
【００９５】
また、プレゼンの際に、画像データを格納しているＰＣの電源がＯＦＦとなっている場合には、画像データを取得することができないので、画像投影装置１は、電子メールを解析すると共に、画像データを取得するようにしても良い。この場合、画像投影装置１の制御部５０は、メール処理部２０を制御して、受信した電子メールの内容を解析し、この電子メールからアクセス情報を抽出すると共に、このアクセス情報に基づいて、通信ネットワーク２を介して画像データを取得する処理を行うようにする。
【００９６】
なお、１回目に画像データを取得する処理を行った際に、既に画像データを格納しているＰＣの電源がＯＦＦとなっていた場合には、画像投影装置１の制御部５０は、このＰＣの電源がＯＮとなるまで、画像データを取得する処理を定期的に行うようにしても良い。これにより、画像投影装置１は、投影すべき画像データを確実に取得することができる。
【００９７】
また、画像投影装置１へ送信する電子メールにより、電子メール一覧表中の電子メールにより特定された画像データについての情報を削除、変更できるようにしても良い。例えば、電子メール一覧表の情報を削除する際には、電子メールの本文６行目に「削除」という語を記載して画像投影装置１へ送信する。制御部５０は、メール処理部２０を制御して、この電子メールの本文６行目に記載の「削除」が、電子メール一覧表中の電子メールにより特定された画像データについての情報を削除する旨の情報であると解析し、電子メール一覧表からこの画像データについての情報を削除して電子メール一覧表を更新する。
【００９８】
これにより、利用者は、「削除」の記載を含む電子メールを画像投影装置１に送信するだけで、プレゼンに用いなくなった画像データを電子メール一覧表から削除することができる。
【００９９】
また、画像投影装置１を含む画像投影システムＫにおいて、メールサーバ７は、通信ネットワーク２の外部に設置しても良い。このように、メールサーバ７が、通信ネットワーク２の外部に設置されても、電子メール自体には画像データが添付されていないので有用な情報がなく、画像データは通信ネットワーク２内で送受信がおこなわれるため、情報漏洩の心配はない。
【０１００】
また、画像投影装置１の電源がＯＮとなったときに、画像データを取得するようにしても良い。また、画像投影装置１の電源がＯＦＦとなっていても、電子メール一覧表のプレゼン日時の情報に基づいて、自動的に画像投影装置１の電源がＯＮとなり、画像データを取得するようにしても良い。
【０１０１】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１０２】
【図１】本発明の実施形態に係る画像投影装置を含む通信ネットワークシステムの構成を示す図である。
【図２】本発明の実施形態に係る画像投影装置の内部構成を示すブロック図を示す図である。
【図３】本実施形態における画像投影装置１のメイン処理フローチャートである。
【図４】本実施形態における画像投影装置１のメール受信処理フローチャートである。
【図５】本実施形態における電子メールの構成例を示す図である。
【図６】本実施形態における電子メールの内容を解析した解析結果の一例を示す図である。
【図７】本実施形態における画像データのファイル名を含む情報の一覧表の一例を示す図である。
【図８】本実施形態におけるファイル表示処理フローチャートである。
【符号の説明】
【０１０３】
１        画像投影装置
２        通信ネットワーク
３〜６    ＰＣ（他の装置、画像データを格納している装置）
７        メールサーバ
１０      入力部
１２      インターフェース
１４      映像信号入力手段
２０      メール処理部
３０      画像処理部
３２      画像処理回路
３４      映像記憶メモリ
４０      投影部
４１      ランプ
４２      照明光学系
４３      光変調素子
４４      結像光学系
４５      光変調素子ドライブ回路
４６      ランプ駆動回路
５０      制御部
５２      ＣＰＵ
５４      ＲＯＭ
５６      ＲＡＭ
Ｋ        画像投影システム
Ｐ        制御パネル
Ｓ        スクリーン
【図１】
2008090562.tif 000003
【図２】
2008090562.tif 000004
【図３】
2008090562.tif 000005
【図４】
2008090562.tif 000006
【図５】
2008090562.tif 000007
【図６】
2008090562.tif 000008
【図７】
2008090562.tif 000009
【図８】
2008090562.tif 000010